(57)【要約】      （修正有）【課題】薄型の電子装置の信号伝達に利用されることができる信号ケーブル、ケーブルコネクターおよび信号ケーブル連結装置を提供する。【解決手段】信号ケーブル１００を手軽にケーブルコネクター２００に連結できる信号ケーブル１００、ケーブルコネクター２００及びこれを含む信号ケーブル連結装置１を開示する。開示された信号ケーブル１００は、並列で形成された複数の信号ライン１１０と；前記複数の信号ライン１１０を絶縁被覆したケーブルフィルム１２０と；コネクター係止部２２０に係止及び係止解除可能に前記ケーブルフィルム１２０に形成されたケーブル係止部１３０と；を含むことを特徴とする。【選択図】図１
2013157322.tif 000002
【特許請求の範囲】
【請求項１】
信号ケーブルにおいて、
並列で形成された複数の信号ラインと；
前記複数の信号ラインを絶縁被覆したケーブルフィルムと；
コネクター係止部に係止及び係止解除可能に前記ケーブルフィルムに形成されたケーブル係止部と；
を含むことを特徴とする信号ケーブル。
【請求項２】
前記ケーブルフィルムの一面に固定された把持部をさらに含むことを特徴とする請求項１に記載の信号ケーブル。
【請求項３】
前記把持部は、
分離方向に引く外力が加わる場合、前記ケーブル係止部が前記コネクター係止部から係止解除されるように前記ケーブルフィルムを変形させるように設けられることを特徴とする請求項２に記載の信号ケーブル。
【請求項４】
前記把持部は、
前記ケーブルフィルムに固定結合された固定端と把持可能に露出された自由端を含むことを特徴とする請求項２又は３に記載の信号ケーブル。
【請求項５】
前記ケーブル係止部は、
係止溝及び係止突起の中で少なくとも何れか一つを含むことを特徴とする請求項１に記載の信号ケーブル。
【請求項６】
信号ケーブルが電気的に連結されるケーブルコネクターにおいて、
前記信号ケーブルの端子と電気的に接触可能なコネクター信号端子と；
前記信号ケーブルが挿入方向に挿入される場合に前記信号ケーブルのケーブル係止部と係止結合可能なコネクター係止部と；
前記コネクター信号端子及び前記コネクター係止部を受容するコネクター本体と；
を含むことを特徴とするケーブルコネクター。
【請求項７】
前記信号ケーブル端子を前記コネクター信号端子に向かって案内するケーブル案内部をさらに含むことを特徴とする請求項６に記載のケーブルコネクター。
【請求項８】
前記ケーブル案内部は、
前記信号ケーブルの幅方向の両側端部の中で少なくとも何れか一つの端部を案内するように前記コネクター本体の両側に各々設けられることを特徴とする請求項７に記載のケーブルコネクター。
【請求項９】
前記コネクター係止部は、
前記信号ケーブルの幅方向の端部が通過可能なケーブル挿入通路が形成されるように前記ケーブル案内部に対向する案内面と；
前記ケーブル係止部と接触して前記信号ケーブルが前記挿入方向の反対方向に離脱されることを防止する係止面と；
を含むことを特徴とする請求項７に記載のケーブルコネクター。
【請求項１０】
前記ケーブル係止部及び前記コネクター係止部は、
前記信号ケーブルが前記挿入方向に対して交差する方向に引かれる場合、互いに係止解除可能に設けられることを特徴とする請求項６に記載のケーブルコネクター。
【請求項１１】
信号ケーブル連結装置において、
並列で形成された複数の信号ラインと、前記複数の信号ラインを絶縁被覆したケーブルフィルムと、コネクター係止部に係止及び係止解除可能に前記ケーブルフィルムに形成されたケーブル係止部と、を含む信号ケーブルと；
前記複数の信号ラインの端子と電気的に接触可能なコネクター信号端子と、前記信号ケーブルが挿入方向に挿入される場合に前記ケーブル係止部と係止結合可能なコネクター係止部と、前記コネクター信号端子及び前記コネクター係止部を受容するコネクター本体を含むケーブルコネクターと；
を含むことを特徴とする信号ケーブル連結装置。
【請求項１２】
前記信号ケーブルは、前記ケーブルフィルムの一面に固定された把持部をさらに含むことを特徴とする請求項１１に記載の信号ケーブル連結装置。
【請求項１３】
前記把持部は、
前記挿入方向に対して交差する方向に引く外力が加わる場合、前記ケーブル係止部が前記コネクター係止部から係止解除されるように前記ケーブルフィルムを変形させるように設けられることを特徴とする請求項１２に記載の信号ケーブル連結装置。
【請求項１４】
前記把持部は、
前記ケーブルフィルムに固定結合された固定端と把持可能に露出された自由端を含むプラスチック
フィルムを含むことを特徴とする請求項１２又は１３に記載の信号ケーブル連結装置。
【請求項１５】
前記ケーブル係止部は、
係止溝及び係止突起の中で少なくとも何れか一つを含むことを特徴とする請求項１１に記載の信号ケーブル連結装置。
【請求項１６】
前記ケーブルコネクターは、
前記信号ケーブル端子を前記コネクター信号端子に向かって案内するケーブル案内部をさらに含むことを特徴とする請求項１１に記載の信号ケーブル連結装置。
【請求項１７】
前記ケーブル案内部は、
前記信号ケーブルの幅方向の両側端部の中で少なくとも何れか一つの端部を案内するように前記コネクター本体の両側に各々設けられることを特徴とする請求項１６に記載の信号ケーブル連結装置。
【請求項１８】
前記コネクター係止部は、
前記信号ケーブルの幅方向の端部が通過可能なケーブル挿入通路が形成されるように前記ケーブル案内部に対向する案内面と；
前記ケーブル係止部と接触して前記信号ケーブルが前記挿入方向の反対方向に離脱されることを防止する係止面と；
を含むことを特徴とする請求項１６に記載の信号ケーブル連結装置。
【請求項１９】
前記ケーブル係止部及び前記コネクター係止部は、
前記信号ケーブルが前記挿入方向に対して交差する方向に引かれる場合、互いに係止解除可能に設けられることを特徴とする請求項１１に記載の信号ケーブル連結装置。
【発明の詳細な説明】
【技術分野】
【０００１】
本発明は、信号ケーブル、ケーブルコネクター及びこれを含む信号ケーブル連結装置に係り、さらに詳しくは、信号ケーブルを手軽にケーブルコネクターに連結できる信号ケーブル、ケーブルコネクター及びこれを含む信号ケーブル連結装置に関する。
【背景技術】
【０００２】
一般的に、ＴＶ、冷蔵庫、セットトップボックス、モニター、スマートフォン、スマートパッド、ノートブックのような色々な電子装置は、その内部に各構成要素間にデータ（電気信号）を伝達するための信号ケーブルが存在する。
【０００３】
信号ケーブルの一端及び他端が一対のケーブルコネクターに連結されることによってケーブルコネクター間に信号が伝達されることができる。
【０００４】
この時、前記信号ケーブルの一端及び他端には、各々前記ケーブルコネクターと結合するための別途のコネクターが設けられる。この場合、前記別途のコネクター自体が嵩を占めるので薄型の電子装置を設計するのに困難がある。また、別途のコネクターを使用することによって製造コストが上昇する。
【０００５】
反対に、信号ケーブルの一端及び他端に別途のコネクターを設置せずケーブルコネクターを連結する場合、前記信号ケーブルが前記ケーブルコネクターから容易に分離されることがある。
【発明の概要】
【発明が解決しようとする課題】
【０００６】
従って、本発明の目的は、薄型の電子装置の信号伝達に利用されることができる信号ケーブル、ケーブルコネクターおよび信号ケーブル連結装置を提供することである。
【０００７】
また、本発明の他の目的は、連結及び連結解除を容易にしながら、不注意によって連結が解除されることを防止することができる信号ケーブル、ケーブルコネクター及び信号ケーブル連結装置を提供することである。
【課題を解決するための手段】
【０００８】
本発明による、信号ケーブルは、並列で形成された複数の信号ラインと；前記複数の信号ラインを絶縁被覆したケーブルフィルムと；コネクター係止部に係止及び係止解除可能に前記ケーブルフィルムに形成されたケーブル係止部と；を含む。ここで、前記ケーブルフィルムの一面に固定された把持部をさらに含むことができる。
【０００９】
また、前記把持部は、分離方向に引く外力が加わる場合、前記ケーブル係止部が前記コネクター係止部から係止解除されるように前記ケーブルフィルムを変形させるように設けられることができる。また、前記把持部は、前記ケーブルフィルムに固定結合された固定端と把持可能に露出された自由端を含むことができる。ここで、前記ケーブル係止部は、係止溝及び係止突起の中で少なくとも何れか一つを含むことができる。
【００１０】
本発明による、信号ケーブルが電気的に連結されるケーブルコネクターは、前記信号ケーブルの端子と電気的に接触可能なコネクター信号端子と；前記信号ケーブルが挿入方向に挿入される場合に前記信号ケーブルのケーブル係止部と係止結合可能なコネクター係止部と；前記コネクター信号端子及び前記コネクター係止部を受容するコネクター本体と；を含むことができる。ここで、前記信号ケーブル端子を前記コネクター信号端子に向かって案内するケーブル案内部をさらに含むことができる。
【００１１】
また、前記ケーブル案内部は、前記信号ケーブルの幅方向の両側端部の中で少なくとも何れか一つの端部を案内するように前記コネクター本体の両側に各々設けられることができる。ここで、前記コネクター係止部は、前記信号ケーブルの幅方向の端部が通過可能なケーブル挿入通路が形成されるように前記ケーブル案内部に対向する案内面と；前記ケーブル係止部と接触して前記信号ケーブルが前記挿入方向の反対方向に離脱されることを防止する係止面と；を含むことができる。
【００１２】
ここで、前記ケーブル係止部及び前記コネクター係止部は、前記信号ケーブルが前記挿入方向に対して交差する方向に引かれる場合、互いに係止解除可能に設けられることができる。
【００１３】
また、本発明による、信号ケーブル連結装置は、並列で形成された複数の信号ラインと、前記複数の信号ラインを絶縁被覆したケーブルフィルムと、コネクター係止部に係止及び係止解除可能に前記ケーブルフィルムに形成されたケーブル係止部を含む信号ケーブルと；前記複数の信号ラインの端子と電気的に接触可能なコネクター信号端子と、前記信号ケーブルが挿入方向に挿入される場合に前記ケーブル係止部と係止結合可能なコネクター係止部と、前記コネクター信号端子及び前記コネクター係止部を受容するコネクター本体を含むケーブルコネクターと；を含むことができる。ここで、前記信号ケーブルは、前記ケーブルフィルムの一面に固定された把持部をさらに含むことができる。
【００１４】
また、前記把持部は、前記挿入方向に対して交差する方向に引く外力が加わる場合、前記ケーブル係止部が前記コネクター係止部から係止解除されるように前記ケーブルフィルムを変形させるように設けられることができる。また、前記把持部は、前記ケーブルフィルムに固定結合された固定端と把持可能に露出された自由端を含むプラスチック
フィルムを含むことができる。ここで、前記ケーブル係止部は、係止溝及び係止突起の中で少なくとも何れか一つを含むことができる。
【００１５】
また、前記ケーブルコネクターは、前記信号ケーブル端子を前記コネクター信号端子に向かって案内するケーブル案内部をさらに含むことができる。また、前記ケーブル案内部は、前記信号ケーブルの幅方向の両側端部の中で少なくとも何れか一つの端部を案内するように前記コネクター本体の両側に各々設けられることができる。
【００１６】
ここで、前記コネクター係止部は、前記信号ケーブルの幅方向の端部が通過可能なケーブル挿入通路が形成されるように前記ケーブル案内部に対向する案内面と；前記ケーブル係止部と接触して前記信号ケーブルが前記挿入方向の反対方向に離脱されることを防止する係止面と；を含むことができる。
【００１７】
また、前記ケーブル係止部及び前記コネクター係止部は、前記信号ケーブルが前記挿入方向に対して交差する方向に引かれる場合、互いに係止解除可能に設けられることができる。
【発明の効果】
【００１８】
本発明による信号ケーブル、ケーブルコネクター及び信号ケーブル連結装置によって、生産コストをダウンすることができる。また、信号ケーブルをコネクターに容易に連結及び連結解除することができるし、ユーザの不注意によって信号ケーブルが解除されることを防止することができる。
【図面の簡単な説明】
【００１９】
【図１】本発明の第１実施形態による信号ケーブル連結装置の概略斜視図である。
【図２Ａ】図１の信号ケーブルの連結装置の信号ケーブルをケーブルコネクターに連結する過程を順次的に図示した概略側断面図である。
【図２Ｂ】図１の信号ケーブルの連結装置の信号ケーブルをケーブルコネクターに連結する過程を順次的に図示した概略側断面図である。
【図２Ｃ】図１の信号ケーブルの連結装置の信号ケーブルをケーブルコネクターに連結する過程を順次的に図示した概略側断面図である。
【図２Ｄ】図１の信号ケーブルの連結装置の信号ケーブルをケーブルコネクターに連結する過程を順次的に図示した概略側断面図である。
【図３Ａ】図１の信号ケーブル連結装置の信号ケーブルをケーブルコネクターから分離する過程を順次的に図示した概略側断面図である。
【図３Ｂ】図１の信号ケーブル連結装置の信号ケーブルをケーブルコネクターから分離する過程を順次的に図示した概略側断面図である。
【図３Ｃ】図１の信号ケーブル連結装置の信号ケーブルをケーブルコネクターから分離する過程を順次的に図示した概略側断面図である。
【図４】本発明の第２実施形態による信号ケーブル連結装置の概略斜視図である。
【図５】本発明の第３実施形態による信号ケーブル連結装置の概略斜視図である。
【発明を実施するための形態】
【００２０】
以下、添付図面を参照しながら本発明の実施形態による信号ケーブル、ケーブルコネクター及びこれを含む信号ケーブル連結装置を詳しく説明する。多様な実施形態を説明することにあって、同じ構成要素に対しては同じ参照番号を付与して重複説明を省略する。
【００２１】
本発明の第１実施形態による信号ケーブル連結装置１は、図１乃至図３Ｃに示すように、信号ケーブル１００及び前記信号ケーブル１００と電気的に信号伝達可能に連結されるケーブルコネクター２００を含む。
【００２２】
ここで、図１は、便宜上前記信号ケーブル１００の一端とこれに連結される前記ケーブルコネクター２００だけを示したが、場合によっては前記信号ケーブル１００の他端にも前記ケーブルコネクター２００が配置されることができる。従って、前記信号ケーブル１００は、一対のケーブルコネクター２００間を連結するように設けられることもできる。
【００２３】
前記ケーブルコネクター２００は、電気的信号を入力及び/または出力する回路基板にマウントされることもできる。さらに詳しくは、前記ケーブルコネクター２００のコネクター信号端子２１０は、回路基板（図示せず）に電気的に連結されることができる。
【００２４】
前記信号ケーブル１００は、並列で形成された複数の信号ライン１１０と；前記複数の信号ライン１１０を絶縁被覆したケーブル
フィルム１２０と；コネクター係止部２２０に係止及び係止解除可能に前記ケーブルフィルム１２０に形成されたケーブル係止部１３０と；を含む。
【００２５】
前記複数の信号ライン１１０は、データまたは電源または情報の中で少なくとも何れか一つを送信するためのである。前記複数の信号ライン１１０は、長さ方向で延長された複数の有線ライン１１３と；信号ケーブル端子１１１と；を含む。参考的に便宜のため図面では、複数の有線ライン１１３各々を図示せずその中で何れか一つだけを図示する。
【００２６】
前記信号ケーブル端子１１１は、前記複数の有線ライン１１３それぞれの露出された端部である。前記信号ケーブル端子１１１は、前記ケーブルコネクター２００のコネクター信号端子２１０と電気的に接触されてデータ/電源/情報を前記ケーブルコネクター２００に伝達する。
【００２７】
前記信号ケーブル１００は、例えば、ＬＶＤＳ（Ｌｏｗ  Ｖｏｌｔａｇｅ  Ｄｉｆｆｅｒｅｎｔｉａｌ  Ｓｉｇｎａｌｉｎｇ）規格によるケーブルでありうる。もちろん、これは一例に過ぎず、多様な規格の中でいずれか一つに従って複数の信号を送信するための信号ケーブルでありうる。
【００２８】
ここで、ケーブルフィルム１２０は、前記複数の信号ライン１１０全体を被覆するように設けられることもできる。場合によっては、前記ケーブルフィルム１２０は、前記複数の信号ライン１１０をそれぞれのライン単位で被覆したことであることもできる。ここで、前記ケーブルフィルム１２０が前記それぞれの信号ライン１１０を被覆するように設けられた場合、前記ケーブルフィルム１２０は被覆されたそれぞれの信号ライン全体または複数の信号ラインの中で一部を囲むフィルムをさらに含むことができる。
【００２９】
前記ケーブル係止部１３０は、図１に示すように、係止溝で設けられることができる。さらに詳しく説明すれば、前記係止溝は、前記ケーブルフィルム１２０の左右側枠の一部区間を内側方向に切開することによって形成されることができる。もちろん、前記係止溝の形状は前記コネクター係止部２２０の形状に対応して多様に変更されることができる。前記ケーブル係止部１３０は、前記ケーブルフィルム１２０及び後述する把持部１４０を共に貫通するように設けられることができる。ここで、前記信号ケーブル１００は、前記ケーブルフィルム１２０の一面に固定された把持部１４０をさらに含むことができる。
【００３０】
前記把持部１４０は、前記ケーブルフィルム１２０に固定結合された固定端１４１と；把持可能に露出された自由端１４３と；を含む。前記把持部１４０は、ポリエチレン（ＰＥ）、ポリプロピレン（ＰＰ）及びポリエチレンテレフタレート（ＰＥＴ）の中で何れの一つからなったプラスチック
フィルムで設けられることができる。もちろん、このようなプラスチック合成樹脂は一例に過ぎず他の多様な合成樹脂素材からなることができる。
【００３１】
前記把持部１４０は、前記信号ケーブル１００が前記ケーブルコネクター２００に挿入される方向と異なる方向に前記信号ケーブル１００を引くためのである。
【００３２】
さらに詳しくは、前記把持部１４０が引かれる場合に前記信号ケーブル１００に形成された前記ケーブル係止部１３０が前記ケーブルコネクター２００のコネクター係止部２２０から係止解除されるように、前記信号ケーブル１００が移動されることができる。
【００３３】
ここで、前記ケーブルフィルム１２０と前記把持部１４０の中で少なくとも何れか一つは、前記ケーブル係止部１３０と前記コネクター係止部２２０が互いに係止結合する時に結合音が発生するように、所定の傾斜度を有するプラスチック材質からなることができる。例えば、前記ケーブル係止部１３０が前記コネクター係止部２２０に係止結合される時に“チック”のような結合音が発生するようにすることによって、前記結合音が発生するか否かに従って前記信号ケーブル１００が前記ケーブルコネクター２００に正しく結合されたか否かを確認することができる。これによって、信号ケーブル１００と前記ケーブルコネクター２００を連結するための作業空間が狭くて肉眼で結合の可否を確認し難い環境でも、結合音、即ち声だけで結合可否を確認することができる。
【００３４】
一方、前記ケーブルコネクター２００は、前記信号ケーブル１００の前記複数の信号ライン１１０端子と電気的に接触可能なコネクター信号端子２１０と；前記信号ケーブル１００が挿入方向Ａに挿入される場合に前記信号ケーブル１００のケーブル係止部１３０と係止結合可能なコネクター係止部２２０と；前記コネクター信号端子２１０及び前記コネクター係止部２２０を受容するコネクター本体２３０と；を含む。
【００３５】
前記コネクター信号端子２１０は、電子機器の印刷回路基板（図示せず）にマウントされることができる。従って、前記コネクター信号端子２１０を通じて前記信号ケーブル１００と前記印刷回路基板（図示せず）が互いにデータ/電源/情報を互いに通信することができる。場合によっては、前記コネクター信号端子２１０は、別途のケーブルを通じて印刷回路基板（図示せず）に連結されることもできる。
【００３６】
前記コネクター本体２３０は、前記コネクター信号端子２１０を受容する受容空間２３３を含む。受容空間２３３には前記信号ケーブル端子１１１が挿入されることができる。前記信号ケーブル端子１１１と前記コネクター信号端子２１０は前記受容空間２３３で互いに接触することができる。
【００３７】
また、前記ケーブルコネクター２００は、前記信号ケーブル１１０、さらに正確には、信号ケーブル端子１１１を前記コネクター信号端子２１０に向かって案内するケーブル案内部２４０をさらに含む。
【００３８】
前記信号ケーブル１００の幅方向の両側端部が前記ケーブル案内部２４０に接触されることによって前記信号ケーブル端子１１１が前記コネクター信号端子２１０に向かって進入することになる。前記ケーブル案内部２４０は、前記信号ケーブル１００の幅方向の両側端部が接触可能に前記コネクター本体２３０の両側に各々設けられることができる。前記ケーブル案内部２４０は、前記信号ケーブル１００を前記コネクター信号端子２１０に案内するための傾斜面２４１を含む。
【００３９】
前記コネクター係止部２２０は前記信号ケーブル１００の幅方向の端部が通過可能なケーブル挿入通路２３５が形成されるように前記ケーブル案内部２４０に対向する案内面２２１と；前記ケーブル係止部１３０と接触して前記信号ケーブル１００が前記挿入方向Ａに離脱されることを防止する係止面２３５と；を含む。ここで、前記コネクター係止部２２０に前記ケーブル挿入通路２３５を形成するための前記案内面２２１と前記係止面２３５が一体で形成されているが、場合によっては、前記案内面２２１と前記係止面２３５が各々別途で形成されることもできる。
【００４０】
ここで、前記ケーブル案内部２４０と前記コネクター係止部２２０は前記コネクター本体２３０の内側面２３１で内部に向かって突出された形態で設けられることができる。場合によっては、前記ケーブル案内部２４０と前記コネクター係止部２２０の中で少なくとも何れか一つが陥没された溝形態で設けられることができるし、これに対しては後述することにする。
【００４１】
また、前記ケーブルコネクター２００は、前記信号ケーブル１００が挿入されて前記信号ケーブル端子１１１と前記コネクター信号端子２１０が互いに接触された状態で、前記信号ケーブル１００を前記コネクター信号端子２１０を向かって加圧する加圧部材２５０をさらに含むことができる。
【００４２】
前記加圧部材２５０は、前記信号ケーブル端子１１１を前記コネクター信号端子２１０に向かって加圧することによって前記信号ケーブル端子１１１と前記コネクター信号端子２１０との間に接触を維持することができるように助ける。前記加圧部材２５０は、前記コネクター本体２３０の内側面２３１に形成された受容溝２３２に回転可能に受容される。また、前記加圧部材２５０は前記信号ケーブル端子１１１を前記コネクター信号端子２１０に向かって圧着するために前記信号ケーブル端子１１１を加圧することができるように下向き回転運動することができる。また、前記加圧部材２５０は、前記信号ケーブル１００を前記ケーブルコネクター２００から分離することができるように、前記下向き回転運動された状態で上向き回転運動することができる。
【００４３】
また、前記加圧部材２５０は上向き回転運動時に前記コネクター本体２３０に形成されたストッパー２３４によって上向き回転運動範囲が規制される。前記加圧部材２５０には前記ストッパー２３４に接触可能な係止突起２５３が形成されることができる。ここで、前記加圧部材２５０は回動することに対して説明したが、場合によっては、前記加圧部材２５０が回転移動せず上下移動だけ可能な構造で設けられることもできる。さらに詳しくは、前記加圧部材２５０は上下移動可能なボタン（図示せず）、前記ボタン（図示せず）を加圧解除位置に弾性バイアスさせる弾性部材（図示せず）を含むことができる。即ち、前記ボタンが押される場合に前記弾性部材の弾性バイアスを克服して前記ボタンが下向き移動しながら前記信号ケーブル端子１１１と前記コネクター信号端子２１０を加圧し、再び前記ボタンが押されれば前記加圧解除位置に復元されることができる。
【００４４】
以上で、前記ケーブル係止部１３０は、係止溝（貫通孔）として設けられ、前記コネクター係止部２２０は前記コネクター本体２３０の内側面２３１から突出された突出部として説明したが、これはあくまでも一例に過ぎず係止結合できる限り、前記ケーブル係止部１３０及び前記コネクター係止部２２０は多様な形態で設けられることができる。
【００４５】
以下では、図２Ａ乃至図２Ｄを参照して、前記信号ケーブル１００を前記ケーブルコネクター２００に結合する方法に対して説明する。
【００４６】
図２Ａに示すように、まず前記信号ケーブル１００を前記ケーブルコネクター２００に挿入方向Ａにしたがって挿入する。これによって、前記信号ケーブル１００の端部が前記ケーブル案内部２４０と前記コネクター係止部２２０との間のケーブル挿入通路２３５を通じて前記コネクター信号端子２１０に向かって移動する。前記信号ケーブル１００の端部が前記コネクター信号端子２１０に向かって移動することによって、前記ケーブル係止部１３０も前記挿入方向Ａに従って移動しながら、図２Ｂに示すように、前記コネクター係止部２２０に係止結合される。
【００４７】
前記コネクター係止部２２０の前記係止面２２３と前記ケーブル係止部１３０が前記挿入方向Ａに対して直角で互いに面接触する。即ち、前記係止面２２３が前記挿入方向Ａに対して大体に直角方向に延長されることができる。これによって、前記信号ケーブル１００が前記ケーブルコネクター２００から前記挿入方向Ａの反対方向に分離されない。
【００４８】
前記信号ケーブル１００を前記挿入方向Ａに移動させることによって前記信号ケーブル１００の前記挿入方向Ａへの移動距離を規制するためのストッパー２５５が前記コネクター本体２３０に形成されることができる。
【００４９】
場合によって、前記ストッパー２５５は前記コネクター係止部２２０に形成されることもできる。さらに詳しくは、前記コネクター係止部２２０の前記案内面２２１に延長されて前記係止面２３５に対向する位置にストッパー面（図示せず）を形成することができる。これによって、前記ケーブル係止部１３０が前記ストッパー面（図示せず）に係止結合される場合に前記信号ケーブル１００が前記挿入方向Ａにさらに進行されないようにすることができる。
【００５０】
また、前記ケーブル係止部１３０が前記コネクター係止部２２０に係止結合する時、発生する結合音で係止結合可否を簡単に確認することができる。
【００５１】
図２Ｂに示すように、前記コネクター係止部２２０と前記ケーブル係止部１３０が互いに係止結合される時、前記信号ケーブル端子１１１と前記コネクター信号端子２１０も互いに接触することになる。
【００５２】
その次に、図２Ｂに示すように、前記加圧部材２５０を下向回動させれば、前記コネクター本体２３０の前記ストッパー２３４から解放される。また、図２Ｃに示すように、前記加圧部材２５０の端部２５１が下向き移動しながら、前記信号ケーブル端子１１１と前記コネクター信号端子２１０を加圧することになる。図２Ｄに示すように、前記加圧部材２５０が前記信号ケーブル１００に接触する場合に下向き回動が停止される。
【００５３】
詳述したように、前記信号ケーブル１００が挿入方向Ａに従って前記ケーブルコネクター２００に挿入されれば前記信号ケーブル１００と前記ケーブルコネクター２００との間に係止結合されることができる。これによって、前記信号ケーブル１００が外部振動または信号ケーブル１００自らの弾性、その他の予想できない外力によって前記ケーブルコネクター２００から分離されることを防止することができる。
【００５４】
一方、前記信号ケーブル１００を前記ケーブルコネクター２００から分離する過程を図３Ａ乃至図３Ｃを参照しながら説明する。
【００５５】
図２Ｄに図示された状態で前記加圧部材２５０を上向き回動させて、図３Ａに示すように、前記加圧部材２５０の係止突起２５３が前記ストッパー２３４に係止結合される時まで前記加圧部材２５０を移動させる。
【００５６】
その次に、図３Ｂに示すように、前記信号ケーブル１００の前記把持部１４０の自由端１４３を分離方向Ｂに引く。
【００５７】
前記分離方向Ｂは、前記挿入方向Ａに平行な方向でなく前記挿入方向Ａに対して交差する方向である。従って、前記分離方向Ｂへの引力（ｐｕｌｌｉｎｇ  ｆｏｒｃｅ）の中で垂直方向成分Ｃによって前記信号ケーブル１００に形成された前記ケーブル係止部１３０が前記コネクター係止部２２０から上方向に移動する。これによって、図３Ｃに示すように、前記ケーブル係止部１３０が前記コネクター係止部２２０から係止解除されながら前記信号ケーブル１００が前記ケーブルコネクター２００から分離されることができる。
【００５８】
ここで、前記分離方向Ｂに前記把持部１４０を引けば前記信号ケーブル１００の端部が図３Ｃに示すように、上方向にふくらんでいる形態で変形され、前記ケーブル係止部１３０が前記コネクター係止部２２０から分離されることができる。
【００５９】
本発明の第２実施形態による信号ケーブル連結装置１ａは、図４に示すように、信号ケーブル１００ａ及びケーブルコネクター２００ａを含む。
【００６０】
本発明による第２実施形態の信号ケーブル１００ａ及びケーブルコネクター２００ａは、第１実施形態の信号ケーブル１００及びケーブルコネクター２００と比較して、ケーブル係止部１５０及びコネクター係止部２６０の配置位置が異なる。
【００６１】
前記ケーブル係止部１５０は、前記第１実施形態のケーブル係止部１３０とは異なるように、前記信号ケーブル１００の幅方向への中央部に設けられることができる。前記ケーブル係止部１５０は、前記把持部１４０及び前記ケーブルフィルム１２０を貫通する貫通孔で設けられることができる。
【００６２】
前記ケーブル係止部１５０が前記信号ケーブル１００の幅方向への中央部に設けられることによって、前記信号ケーブル１００の幅方向への区間Ｇには信号ラインが配置されないことができる。また、信号ケーブル端子１１１に対応して前記コネクター信号端子２１０も区間Ｇには端子が省略されることもできる。場合によっては、前記ケーブル係止部１５０は、図４に示すように、前記信号ケーブル１００の幅方向に互いに離隔されて、一対の孔として設けられることもできる。前記ケーブル係止部１５０の個数は多様に変更されることもできる。
【００６３】
前記コネクター係止部２６０は、前記ケーブル係止部１５０に対応する位置に配置されることができる。前記コネクター係止部２６０は、案内面２６１と、前記案内面２６１から延長されて前記ケーブル係止部１５０と係止結合可能な係止面２６３と、を含む。
【００６４】
前記信号ケーブル１００ａが前記ケーブルコネクター２００ａで挿入方向Ａに従って挿入されることによって、前記信号ケーブル１００ａの両側端部は、前記ケーブル案内部２４０によって前記コネクター信号端子２１０に向かって案内される。また、前記信号ケーブル１００ａの中央部分は、前記コネクター係止部２６０の案内面２６１に従って前記コネクター信号端子２１０に向かって移動する。従って、前記ケーブル係止部１５０は前記コネクター係止部２６０に係止結合可能である。これによって、前記ケーブル係止部１５０が前記挿入方向Ａの反対方向に前記コネクター係止部２６０から離脱されることを防止することができる。
【００６５】
以上で、前記ケーブル係止部１５０は貫通孔であり、前記コネクター係止部２６０は突出部で形成されたことを例えて説明したが、場合によっては、その反対の前記ケーブル係止部１５０が突出部であり前記コネクター係止部２６０が貫通孔または係止溝で設けられることもできる。
【００６６】
本発明の第３実施形態による信号ケーブル連結装置１ｂは、図５に示すように、信号ケーブル１００ｂ及びケーブルコネクター２００ｂを含む。本発明による第３実施形態の信号ケーブル１００ｂ及びケーブルコネクター２００ｂは、第１実施形態の信号ケーブル１００及びケーブルコネクター２００と比較して、ケーブル係止部１７０、ケーブル案内部２７０及びコネクター係止部２８０の形状が異なる。
【００６７】
本発明による第３実施形態の信号ケーブル１００ｂのケーブル係止部１７０は前記信号ケーブル１００ｂの幅方向への両側に各々設けられた係止突起を含む。前記係止突起は前記信号ケーブル１００ｂの幅方向に突出される。前記係止突起は前記ケーブル案内部２７０と前記コネクター係止部２８０との間のケーブル挿入通路２３５を通過して、前記コネクター係止部２８０の係止面２８３に係止結合されることができる。
【００６８】
前記ケーブルコネクター２００ｂのケーブル案内部２７０及びコネクター係止部２８０は前記コネクター本体２３０の内側面２３１で陥没された溝形態で設けられることができる。
【００６９】
即ち、図１に示すように、第１実施形態のケーブル案内部２４０及びコネクター係止部２２０は前記内側面２３１で内側方向に突出された形態であるが、本発明による第３実施形態のケーブル案内部２７０及びコネクター係止部２８０は内側に陥没された形態で設けられることができる。
【００７０】
前記ケーブル案内部２７０は、前記信号ケーブル１００ｂ、正確には前記信号ケーブル端子１１１を前記コネクター信号端子２１０に向かって案内する傾斜面を含む。
【００７１】
前記コネクター係止部２８０は、前記ケーブル案内部２７０と対向して前記信号ケーブルの端部が通過可能なケーブル挿入通路を形成する案内面２８１と；前記ケーブル係止部１７０と接触して前記信号ケーブル１００ｂが前記挿入方向Ａの反対方向に離脱されることを防止する係止面２８３と；を含む。
【００７２】
本発明による第３実施形態でも、前記把持部１４０を分離方向（図３ＢのＢ）に引くことによって前記信号ケーブル１００ｂの前端部を上方向に変形させることによって前記ケーブル係止部１７０を前記コネクター係止部２８０から係止解除させることができる。
【００７３】
以上、多様な実施形態を通じて本発明に対して図示し説明したが、本発明はこれに限定されず、本発明の属する技術分野の通常の知識を有する人なら本発明の原則や精神から逸脱することなく本発明の一実施形態を変形し得ることが理解される。発明の範囲は、特許請求の範囲とその均等物によって定められる。
【符号の説明】
【００７４】
１、１ａ、１ｂ  信号ケーブル連結装置
１００、１００ａ、１００ｂ  信号ケーブル
１１０  信号ライン
１１１  信号ケーブル端子
１２０  ケーブルフィルム
１３０、１５０、１７０  ケーブル係止部
１４０  把持部
２００、２００ａ、２００ｂ  ケーブルコネクター
２１０  コネクター信号端子
２２０、２６０、２８０  コネクター係止部
２２１、２６１、２８１  案内面
２２３、２６３、２８３  係止面
２４０、２７０  ケーブル案内部
【図１】
2013157322.tif 000003
【図２Ａ】
2013157322.tif 000004
【図２Ｂ】
2013157322.tif 000005
【図２Ｃ】
2013157322.tif 000006
【図２Ｄ】
2013157322.tif 000007
【図３Ａ】
2013157322.tif 000008
【図３Ｂ】
2013157322.tif 000009
【図３Ｃ】
2013157322.tif 000010
【図４】
2013157322.tif 000011
【図５】
2013157322.tif 000012